(57)【特許請求の範囲】
【請求項１】
対向する一対の脚部を有するクランプ本体と、該一対の脚部の一方に設けられる受け手段と、他方の脚部に貫通形成される雌ネジ穴に螺合される締付ボルト構造体とからなり、締付ボルト構造体を受け手段に対して近接移動させることにより被吊揚物を受け手段との間に締付固定する形式のネジ式クランプにおいて、前記締付ボルト構造体が、前記雌ネジ穴と螺合する雄ネジをその外周面に有するボルト本体と、前記ボルト本体の先端に相対回転可能かつ着脱可能に取り付けられるパッドとから構成され、前記ボルト本体または前記パッドのいずれか一方の相対端部には、雌ネジ部と、該雌ネジ部の奥方に隣接して形成され該雌ネジ部の雌ネジ谷径よりも大きな内径を持つ奥方座ぐり部と、該雌ネジ部の開口端側に隣接して形成され該雌ネジ部の雌ネジ谷径よりも大きな内径を持つ開口端側座ぐり部とを有する穴が形成されるとともに、前記ボルト本体または前記パッドの他方の相対端部には、前記雌ネジ部に螺合可能な雄ネジ部と、該雄ネジ部の基端側に隣接して前記雌ネジ部の雌ネジ山よりも小さな外径を持つ溝部と、該溝部のさらに基端側に隣接して前記開口端側座ぐり部の内径と略同一またはわずかに小さい外径を有する段部とが形成され、前記雌ネジ部と前記雄ネジ部とが螺合される第１の相対的軸方向位置において前記パッドは前記ボルト本体に対して着脱可能であり、前記雄ネジ部が前記奥方座ぐり部内に遊嵌されるとともに前記雌ネジ部が前記溝部内に遊嵌される第２の相対的軸方向位置において前記パッドは前記ボルト本体に対して相対回転自在であることを特徴とするネジ式クランプにおける締付ボルト構造体。
【請求項２】
前記雌ネジ部と前記奥方座ぐり部と前記開口端側座ぐり部とを有する前記穴が前記ボルト本体の先端部に形成され、前記雄ネジ部と前記溝部と前記団部とが前記パッドの基端部に形成されることを特徴とする請求項１のネジ式クランプにおける締付ボルト構造体。
【請求項３】
前記雌ネジ部と前記奥方座ぐり部と前記開口端側座ぐり部とを有する前記穴が前記パッドの基端部に形成され、前記雄ネジ部と前記溝部と前記団部とが前記ボルト本体の先端部に形成されることを特徴とする請求項１のネジ式クランプにおける締付ボルト構造体。
【請求項４】
前記雄ネジ部から突出する略円柱状の突起が形成されるとともに、該突起を嵌合するための嵌合溝部が前記奥方座ぐり部のさらに奥方に形成されることを特徴とする請求項１ないし３のいずれかのネジ式クランプにおける締付ボルト構造体。
【発明の詳細な説明】
【０００１】
【産業上の利用分野】
本発明は、ネジ式クランプにおける締付ボルト構造体に関する。
【０００２】
【従来の技術】
図６はネジ式クランプの構成例を示すもので、クランプ本体１０が有する対向する一対の脚部１１ａ、１１ｂの一方（１１ｂ）には旋回あご１２が回転自在に支持されると共に、他方の脚部（１１ａ）に貫通形成される雌ネジ穴１３に締付ボルト１４が螺合されてなる。
【０００３】
かかる構成のネジ式クランプにおいて、一対の脚部１１ａ、１１ｂ間の開口領域に被吊揚物の端部を挿入し、締付ボルト１４の外側端に取り付けられるハンドル１５を操作して締付ボルト１４を締付方向（図において左方向）に移動させることにより、被吊揚物が旋回あご１２と締付ボルト１４先端との間に挟持固定される。
【０００４】
締付ボルト１４の被吊揚物に対する保持力を増大するために、図７に示されるような山形状の係合歯１６が締付ボルト１４の先端面に設けられる。複数の山形状係合歯１６のうち中央の係合歯１６’は他の係合歯よりも若干高く形成されている。
【０００５】
このような締付ボルトの構成によるときは、締付ボルト１４の締付方向への移動によりまずその先端面の中央の高い係合歯１６’が被吊揚物の被係合面に当たり、その後さらに締め付けることにより、該係合歯１６’が被吊揚物の被係合面に食い込み、締付ボルト１４は該係合歯１６’の頂点を中心として回転しながらさらに締付方向に移動し、被吊揚物の被係合面が多数の低い係合歯１６の頂点によって圧接支持される。
【０００６】
【発明が解決しようとする課題】
前記した従来構成の締付ボルトは、被吊揚物に対する係合手段（山形状係合歯１６）が締付ボルト１４の先端面に一体的に形成されているため、締付時のボルト回転に伴う回転力が被吊揚物に作用してしまう。図７のように中央の係合歯１６’を他の係合歯１６よりも高くした場合には、該中央係合歯１６’の食い込みを利用して締付ボルト１４による回転力を吸収することが可能であるが、反面、被吊揚物の被係合面に深い傷をつけてしまうという欠点を有する。
【０００７】
また、クランプ本体が被吊揚物に対して傾いた場合には、低い係合歯１６も被吊揚物の被係合面に深く食い込んで、同様に深い傷をつけてしまう。
【０００８】
さらに、長期間の使用により山形状係合歯１６、１６’が摩耗したときには、締付ボルト１４全体を交換しなければならず、コスト面でも問題があった。特に、被吊揚物の被係合面に食い込む中央係合歯１６’は摩耗しやすく、中央係合歯１６’が摩耗して他の低い係合歯１６との間の高低差が小さくなると、被吊揚物に対する圧接力が不十分なうちに低い係合歯１６が当たってしまい、その後さらに締付ボルトが締め付けられるときの回転力が被吊揚物を回転させようとする力として作用してしまうため、比較的短期間で交換しなければならなかった。
【０００９】
【課題を解決するための手段】
本発明は、上記したような従来技術の問題点を解決し、被吊揚物に対する係合手段を締付ボルト本体とは別体として着脱可能に構成するとともに、被吊揚物の被係合面を深く傷つけることなく締付可能に構成された新規な締付ボルト構造体を提供することを目的とする。
【００１０】
すなわち、請求項１にかかる本発明は、対向する一対の脚部を有するクランプ本体と、該一対の脚部の一方に設けられる受け手段と、他方の脚部に貫通形成される雌ネジ穴に螺合される締付ボルト構造体とからなり、締付ボルト構造体を受け手段に対して近接移動させることにより被吊揚物を受け手段との間に締付固定する形式のネジ式クランプにおいて、前記締付ボルト構造体が、前記雌ネジ穴と螺合する雄ネジをその外周面に有するボルト本体と、前記ボルト本体の先端に相対回転可能かつ着脱可能に取り付けられるパッドとから構成され、前記ボルト本体または前記パッドのいずれか一方の相対端部には、雌ネジ部と、該雌ネジ部の奥方に隣接して形成され該雌ネジ部の雌ネジ谷径よりも大きな内径を持つ奥方座ぐり部と、該雌ネジ部の開口端側に隣接して形成され該雌ネジ部の雌ネジ谷径よりも大きな内径を持つ開口端側座ぐり部とを有する穴が形成されるとともに、前記ボルト本体または前記パッドの他方の相対端部には、前記雌ネジ部に螺合可能な雄ネジ部と、該雄ネジ部の基端側に隣接して前記雌ネジ部の雌ネジ山よりも小さな外径を持つ溝部と、該溝部のさらに基端側に隣接して前記開口端側座ぐり部の内径と略同一またはわずかに小さい外径を有する段部とが形成され、前記雌ネジ部と前記雄ネジ部とが螺合される第１の相対的軸方向位置において前記パッドは前記ボルト本体に対して着脱可能であり、前記雄ネジ部が前記奥方座ぐり部内に遊嵌されるとともに前記雌ネジ部が前記溝部内に遊嵌される第２の相対的軸方向位置において前記パッドは前記ボルト本体に対して相対回転自在であることを特徴とする。
【００１１】
請求項２にかかる本発明によれば、前記雌ネジ部と前記奥方座ぐり部と前記開口端側座ぐり部とを有する前記穴が前記ボルト本体の先端部に形成され、前記雄ネジ部と前記溝部と前記団部とが前記パッドの基端部に形成される。また、請求項３にかかる本発明によれば、前記雌ネジ部と前記奥方座ぐり部と前記開口端側座ぐり部とを有する前記穴が前記パッドの基端部に形成され、前記雄ネジ部と前記溝部と前記団部とが前記ボルト本体の先端部に形成される。
【００１２】
請求項４にかかる本発明によれば、前記雄ネジ部から突出する略円柱状の突起が形成されるとともに、該突起を嵌合するための嵌合溝部が前記奥方座ぐり部のさらに奥方に形成される。
【００１３】
上記構成の締付ボルト構造体にあっては、雌ネジ部と雄ネジ部とが螺合される第１の相対的軸方向位置においてパッドはボルト本体に対して着脱可能であり、雄ネジ部が座ぐり部内に遊嵌されかつ雌ネジ部が溝部内に遊嵌される第２の相対的軸方向位置においてパッドはボルト本体に対して相対回転自在である
パッドの先端面は球面状に形成され得る。また、パッドの先端面にローレット形状の係合歯を多数形成することができる。
【００１４】
【作用】
第２の相対的軸方向位置関係においてパッドがボルト本体に対して相対回転自在なため、パッドを被吊揚物の被接合面に圧接しながらさらにボルトを回転させて締め付けても、パッドは被吊揚物に対して回転することがなく、安定したクランプ動作が確保される。
【００１５】
また、第１の相対的軸方向位置関係においてパッドはボルト本体に着脱可能であるため、長期間の使用によりパッドが摩耗した場合には、パッドのみを交換することができる。
【００１６】
パッドをボルト本体に対して相対回転自在かつ着脱可能に取り付けるための好適な態様として、ボルト本体またはパッドのいずれか一方の相対端部に、雌ネジ部と、該雌ネジ部の奥方に隣接して形成され該雌ネジ部の雌ネジ谷径よりも大きな内径を持つ座ぐり部とを有する穴が形成するとともに、他方の相対端部には、雌ネジ部に螺合可能な雄ネジ部と、該雄ネジ部よりも先端側に隣接して形成され雌ネジ部の雌ネジ山径よりも小さな外径を持つ座ぐり部とを形成することができる。雌ネジ部と雄ネジ部とが螺合する第１の相対的軸方向位置関係において、パッドをボルト本体に対して着脱することができる。パッドをさらにボルト本体の穴の奥方に挿入すると、雄ネジ部が座ぐり部内に遊嵌されかつ雌ネジ部が溝部内に遊嵌される第２の相対的軸方向位置関係が得られ、この位置においてはパッドはボルト本体に対して相対回転自在とされる。
【００１７】
【実施例】
図１は本発明による締付ボルト構造体の好適な一実施例が示される。この締付ボルト構造体は、図６に示されるような構成を有するネジ式クランプにおいて、従来の締付ボルト１４に代えて用いられる。
【００１８】
締付ボルト構造体２０は、ボルト本体２１と、該ボルト本体の先端に相対回転自在かつ着脱可能に取り付けられるパッド２２とから構成される。
【００１９】
ボルト本体２１はたとえば特殊合金鋼製の略円筒状体として成形され、その外周面には、クランプ本体１０の一方の脚部１１ａに貫通形成される雌ネジ穴１３に螺合可能な雄ネジ２３が螺刻される。ボルト本体２１の後端部にはハンドル１５（図６）を取り付けるための貫通孔２４が形成される。
【００２０】
ボルト本体２１の先端部には、先端に向けて開口する断面円形の座ぐり部２５と、その奥方に隣接する雌ネジ部２６と、さらにその奥方に隣接する座ぐり部２７とを有する穴２８が形成される。座ぐり部２５の径Ｒ１および座ぐり部２７の内径Ｒ４は、雌ネジ部２６の谷径Ｒ２よりもわずかに大きく設定される。
【００２１】
パッド２２はたとえば特殊合金鋼により成形され、ボルト本体２１の先端穴２８に挿入される基端部２９と、基端部２９よりも大径である先端部３０とから一体的に構成される。
【００２２】
パッド２２の基端部２９には、最も基端側に設けられる雄ネジ部３１と、その先端側に隣接する溝部３２と、さらにその先端側に隣接する段部３３とが形成される。雄ネジ部３１はボルト本体２１の先端穴２８の雌ネジ部２６と螺合可能である。したがって、その山径Ｒ５はボルト本体２１の先端穴２８の座ぐり部２７の内径Ｒ４よりもわずかに小さい。溝部３２の外径Ｒ６はボルト本体２１の先端穴２８の雌ネジ部２６の山径Ｒ３よりもわずかに小さく設定される。また、段部３３の外径Ｒ７はボルト本体２１の先端穴２８の座ぐり部２５の内径Ｒ１と略同一かあるいはわずかに小さく設定される。
【００２３】
パッド２２の先端部３０は球面状の先端面を有する。この球面状先端面には、ローレット状の係合歯３４が形成される。
【００２４】
パッド２２をボルト本体２１に装着する作業は、パッド２２の基端部２９をボルト本体２１の先端穴２８に挿入することによって行う。ボルト本体先端穴２８の先端側座ぐり部２５はパッド基端部２９の雄ネジ部３１の山径Ｒ５よりもわずかに大きな内径Ｒ１を有するため、パッド基端部２９の雄ネジ部３１をボルト本体先端穴２８の雌ネジ部２６に螺合させるべく案内する役割を果たす。
【００２５】
かくして案内されつつパッド基端部２９がボルト本体先端穴２８に挿入されることにより、雄ネジ部３１と雌ネジ部２６とが螺合する第１の相対的軸方向位置関係が得られる（図２）。この位置関係においてパッド２２をねじ込むことにより、パッド基端部２９はボルト本体先端穴２８のさらに奥方に挿入され、ついには、その雄ネジ部３１がボルト本体先端穴２８の雌ネジ部２６の領域を離れ、最奥に位置する座ぐり部２７に収容される第２の相対的軸方向位置関係が得られる（図３）。この位置関係においては、前述のそれぞれの径寸法の関係から、パッド基端部２９の雄ネジ部３１、溝部３２および段部３３はそれぞれボルト本体２１の先端穴２８の座ぐり部２７、雌ネジ部２６および座ぐり部２５に遊嵌されており、したがって、パッド２２はボルト本体２１に対して相対回転が許容される。
【００２６】
上記のようにしてパッド２２がボルト本体２１に対して第２の相対的軸方向位置関係に装着された締付ボルト構造体２０を得た後、クランプ本体１０の脚部１１ａの外側から雌ネジ穴１３に挿入し、ボルト本体外周面の雄ネジ２３を雌ネジ穴１３に螺合させ、この状態でハンドル１５を操作してボルト本体２１を回転することにより、締付ボルト構造体２０がクランプ本体１０の脚部１１ａに取り付けられる。
【００２７】
従来の締付ボルト１４の代わりに締付ボルト構造体２０が用いられたネジ式クランプの用法は実質的に従来と同様である。すなわち、クランプ本体１０の脚部１１ａ、１１ｂ間の開口領域に被吊揚物を挿入し、ハンドル１５の操作により締付ボルト構造体２０を回転させながら締付方向に移動させて、対向する受け手段ないし旋回あご１２との間に被吊揚物を挟持固定する。締付ボルト構造体２０は、被吊揚物をパッド２２と旋回あご１２との間に圧接状態に固定するために、パッド２２が被吊揚物の被接合面に当接した後にさらに締付方向に移動されるが、ボルト本体２１とパッド２２が図３に示される第２の相対的軸方向位置関係にあってそれらの相対的回転が許容されるため、ボルト本体２１が回転するだけで、パッド２２は回転せず、被吊揚物に回転力を与えることなく、安定した圧接固定を行うことができる。
【００２８】
パッド２２の先端面に設けられるローレット状の係合歯３４は、被吊揚物に対する係合力を増大させる。長期間の使用により係合歯３４が摩耗した場合、パッド２２をボルト本体２１から取り外し、新たなパッド２２と交換する。パッド２２をボルト本体２１から取り外すには、ボルト本体２１に対して第２の相対的軸方向位置関係にあるパッド２２を軸方向に引き抜いて雄ネジ部３１と雌ネジ部２６とを螺合させ、かくして第１の相対的軸方向位置関係が形成された状態でパッド２２を緩める方向（反時計方向）に回転する。このように、いったん第２の相対的軸方向位置関係に装着されたパッド２２は、ボルト本体２１に対して、軸方向の引き抜き力と反時計方向の回転力とが同時に作用しない限り、ボルト本体２１から脱落することがない。したがって、被吊揚物を旋回あご１２との間で圧接挟持している状態にあっては、パッド２２はボルト本体２１に対して常に押し付ける方向の力が働いているため、いかなる方向の回転力が作用しようとも、ボルト本体２１から脱落することはない。
【００２９】
図４はパッド２２についての変形例を示し、雄ネジ部３１からさらにボルト本体２１の先端穴２８方向に突出する略円柱状の突起３５を設けたものである。この場合、ボルト本体２１の先端穴２８には、座ぐり部２７からさらに奥方に、突起３５を嵌合するための溝部（図示せず）が設けられる。第２の相対的軸方向位置関係において、突起３５が先端穴２８の溝部内に嵌合されることで、該位置におけるパッド２２の姿勢が安定化され、がたつきが防止される。
【００３０】
なお、パッド２２のボルト本体２１に対する若干の傾斜を許容するために、突起３５を設けるに代えて、パッド２１の基端面を球面状に形成するとともに、ボルト本体嵌合穴２８の最奥部を相補的な凹球面状としてもよい。
【００３１】
図５に示される変形例では、座ぐり部２５’、雌ネジ部２６’および座ぐり部２７’を有する穴２８’がパッド２２の基端側に設けられ、雄ネジ部３１’、溝部３２’および段部３３’を有する突起２９’がボルト本体２１の先端部に設けられている。この構成の場合にも、図１ないし図３に関して既述したと同様の作用を有することが自明であるので、詳細な説明は省略する。また、図５の構成においても、図４に示されるような突起３５を突起２９’のさらに先端部に設けるとともに、これを嵌合する溝部を穴２８’の奥方に形成して、パッド２２のがたつきを防止するように構成することができる。
【００３２】
【発明の効果】
本発明の締付ボルト構造体は、被吊揚物と圧接するパッドがボルト本体に対して第１の相対的軸方向位置関係において相対回転自在であり、第２の相対的軸方向位置関係において着脱可能に構成されるため、締付時には被吊揚物を安定した姿勢で挟持固定することができるとともに、パッドが摩耗したときには容易に新たなパッドと交換することができる。
【００３３】
パッドは球面状の先端面を有することにより、被吊揚物を広い面積で受け、被吊揚物に深い傷を与えない。
【図面の簡単な説明】
【図１】本発明の好適な一態様による締付ボルト構造体を分解して示す片側断面図である。
【図２】図１の締付ボルト構造体においてパッドがボルト本体に対して着脱可能とされる第１の相対的軸方向位置関係を示す片側断面図である。
【図３】図１の締付ボルト構造体においてパッドがボルト本体に対して相対回転自在とされる第２の相対的軸方向位置関係を示す片側断面図である。
【図４】パッドについての変形例を示す片側断面図である。
【図５】本発明の締付ボルト構造体の変形例を示す図１と同様の片側断面図である。
【図６】本発明の締付ボルト構造体が用いられる形式のネジ式クランプの構成例を示す正面図である。
【図７】図５のネジ式クランプにおいて従来用いられている締付ボルトの形状例を示す正面図である。
【符号の説明】
１０  クランプ本体
１１ａ、１１ｂ  脚部
１２  旋回あご（受け手段）
１３  雌ネジ穴
１４  締付ボルト
１５  ハンドル
２０  締付ボルト構造体
２１  ボルト本体
２２  パッド
２３  雄ネジ
２４  貫通孔
２５  座ぐり部
２６  雌ネジ部
２７  座ぐり部
２８  ボルト本体先端穴
２９  パッド基端部
３０  パッド先端部
３１  雄ネジ部
３２  溝部
３３  段部
３４  ローレット状係合歯
【図１】
0003651493.tif 000002
【図２】
0003651493.tif 000003
【図３】
0003651493.tif 000004
【図４】
0003651493.tif 000005
【図５】
0003651493.tif 000006
【図６】
0003651493.tif 000007
【図７】
0003651493.tif 000008